(57)【要約】  本発明は、通信の分野に適用され、パラメータを設定するための方法、基地局、及びユーザ機器を提供する。上記の方法は、基地局により、ユーザ機器（ＵＥ）のサービスタイプが疎なパケットサービスであるか否かが決定されるステップと、ＵＥのサービスタイプが疎なパケットサービスである場合、基地局により、疎なパケットサービスの間欠受信（ＤＲＸ）パラメータが決定されるステップと、基地局により、ＤＲＸパラメータがＵＥに送信されるステップとを有する。ここで、ＤＲＸパラメータは、ＤＲＸ制御を実行するためにＵＥによって使用される。本発明において、ＵＥのサービスタイプが疎なパケットサービスであると決定された場合、基地局は、ＵＥに対して、対応するＤＲＸパラメータを設定し、それにより、ＵＥの端末エネルギー消費量を減少させる。
2015525989.tif 000002
【特許請求の範囲】
【請求項１】
パラメータを設定するための方法であって、
基地局により、ユーザ機器のサービスタイプが疎なパケットサービスであるか否かが決定されるステップと、
前記ユーザ機器の前記サービスタイプが前記疎なパケットサービスである場合、前記基地局により、前記疎なパケットサービスの間欠受信（ＤＲＸ）パラメータが決定されるステップと、
前記基地局により、前記ＤＲＸパラメータが前記ユーザ機器に送信されるステップと
を有し、
前記ＤＲＸパラメータは、ＤＲＸ制御を実行するために前記ユーザ機器によって使用される、ことを特徴とする方法。
【請求項２】
基地局により、ユーザ機器のサービスタイプが疎なパケットサービスであるか否かが決定される前記ステップが、
前記基地局により、前記ユーザ機器によって通知される前記サービスタイプが取得されるステップと、
前記基地局により、前記ユーザ機器によって通知される前記サービスタイプが前記疎なパケットサービスであるか否かが決定されるステップと
を含むことを特徴とする請求項１に記載の方法。
【請求項３】
基地局により、ユーザ機器のサービスタイプが疎なパケットサービスであるか否かが決定される前記ステップが、
前記基地局により、前記ユーザ機器から受信した複数のデータパケットのパケット到着間隔分布が取得されるステップと、
前記基地局により、前記パケット到着間隔分布に基づいて、前記ユーザ機器の前記サービスタイプが前記疎なパケットサービスであるか否かが決定されるステップと
を含むことを特徴とする請求項１に記載の方法。
【請求項４】
前記基地局により、前記ユーザ機器から受信した複数のデータパケットのパケット到着間隔分布が取得される前記ステップが、
前記基地局により、所定期間内に前記ユーザ機器から受信した前記複数のデータパケットのＭ個のパケット到着間隔が取得されるステップと、
前記基地局により、前記Ｍ個のパケット到着間隔に基づいて、前記パケット到着間隔分布が生成されるステップと
を含み、
Ｍは１以上の整数である、ことを特徴とする請求項３に記載の方法。
【請求項５】
前記基地局により、前記ユーザ機器から受信した複数のデータパケットのパケット到着間隔分布が取得される前記ステップが、
前記基地局により、前記ユーザ機器によって通知される前記パケット到着間隔分布が取得されるステップを含むことを特徴とする請求項３に記載の方法。
【請求項６】
前記基地局により、ＤＲＸパラメータが取得される前記ステップが、
前記基地局により、前記パケット到着間隔分布に基づいて、Ｎセットの所定のＤＲＸパラメータのうちから前記ＤＲＸパラメータが決定されるステップを含み、
Ｎは１以上の整数である、ことを特徴とする請求項３ないし５のいずれか１項に記載の方法。
【請求項７】
前記基地局により、前記パケット到着間隔分布中のパケット到着間隔が所定の第１しきい値を超えるか否かが決定されるステップと、
前記パケット到着間隔分布中の前記パケット到着間隔が前記所定の第１しきい値を超える場合、前記基地局により、第１のＤＲＸパラメータ切替え時間が決定されるステップと、
前記パケット到着間隔分布中の前記パケット到着間隔が前記所定の第１しきい値を超えない場合、前記基地局により、第２のＤＲＸパラメータ切替え時間が決定されるステップと
をさらに有し、
前記第１のＤＲＸパラメータ切替え時間は、前記第２のＤＲＸパラメータ切替え時間とは異なり、
前記第１のＤＲＸパラメータ切替え時間及び前記第２のＤＲＸパラメータ切替え時間は、前記ＤＲＸパラメータを切り替えるように前記基地局を制御するために使用される、ことを特徴とする請求項３ないし６のいずれか１項に記載の方法。
【請求項８】
前記基地局により、前記ユーザ機器の端末タイプが第１端末タイプであるか否かが決定されるステップと、
前記ユーザ機器の前記端末タイプが前記第１端末タイプである場合、前記基地局により、第１のＤＲＸパラメータ切替え時間が決定されるステップと、
前記ユーザ機器の前記端末タイプが前記第１端末タイプでない場合、前記基地局により、第２のＤＲＸパラメータ切替え時間が決定されるステップと
をさらに有し、
前記第１のＤＲＸパラメータ切替え時間は、前記第２のＤＲＸパラメータ切替え時間とは異なり、
前記第１のＤＲＸパラメータ切替え時間及び前記第２のＤＲＸパラメータ切替え時間は、前記ＤＲＸパラメータを切り替えるように前記基地局を制御するために使用される、ことを特徴とする請求項２ないし６のいずれか１項に記載の方法。
【請求項９】
前記基地局により、前記パケット到着間隔分布中のパケット到着間隔が所定の第２しきい値を超えるか否かが決定されるステップと、
前記パケット到着間隔分布中の前記パケット到着間隔が前記所定の第２しきい値を超える場合、前記基地局により、第１非活動タイマーが決定されるステップと、
前記パケット到着間隔分布中の前記パケット到着間隔が前記所定の第２しきい値を超えない場合、前記基地局により、第２非活動タイマーが決定されるステップと
をさらに有し、
前記第１非活動タイマー及び前記第２非活動タイマーは、前記ユーザ機器を待機状態に切り替える時間を制御するために使用される、ことを特徴とする請求項３ないし８のいずれか１項に記載の方法。
【請求項１０】
前記基地局により、前記ユーザ機器の端末タイプが第１端末タイプであるか否かが決定されるステップと、
前記ユーザ機器の前記端末タイプが前記第１端末タイプである場合、前記基地局により、第１非活動タイマーが決定されるステップと、
前記ユーザ機器の前記端末タイプが前記第１端末タイプでない場合、前記基地局により、第２非活動タイマーが決定されるステップと
をさらに有し、
前記第１非活動タイマー及び前記第２非活動タイマーは、前記ユーザ機器を待機状態に切り替える時間を制御するために使用される、ことを特徴とする請求項２ないし８のいずれか１項に記載の方法。
【請求項１１】
パラメータを設定するための方法であって、
ユーザ機器のサービスタイプが疎なパケットサービスである場合に、前記ユーザ機器により、基地局から間欠受信（ＤＲＸ）パラメータが取得されるステップと、
前記ユーザ機器により、前記ＤＲＸパラメータに基づいて、ＤＲＸ制御が実行されるステップと
を有することを特徴とする方法。
【請求項１２】
前記ユーザ機器により、基地局からＤＲＸパラメータが取得される前記ステップの前に、
前記ユーザ機器により、前記サービスタイプが前記基地局に通知されるステップをさらに有し、
前記サービスタイプは、前記ユーザ機器の前記サービスタイプが前記疎なパケットサービスであるか否かを決定するために前記基地局によって使用される、ことを特徴とする請求項１１に記載の方法。
【請求項１３】
前記ユーザ機器により、基地局からＤＲＸパラメータが取得される前記ステップの前に、
前記ユーザ機器により、前記サービスタイプのパケット到着間隔分布が前記基地局に通知されるステップをさらに有し、
前記パケット到着間隔分布は、前記ユーザ機器の前記サービスタイプが前記疎なパケットサービスであるか否かを決定するために前記基地局によって使用される、ことを特徴とする請求項１１に記載の方法。
【請求項１４】
前記ユーザ機器により、前記サービスタイプのパケット到着間隔分布が前記基地局に通知される前記ステップの前に、
前記ユーザ機器により、所定のリストに基づいて、前記サービスタイプの前記パケット到着間隔分布が決定されるステップをさらに有し、
前記所定のリストには、前記ユーザ機器の前記サービスタイプに対応する前記パケット到着間隔分布が予め設定される、ことを特徴とする請求項１３に記載の方法。
【請求項１５】
基地局であって、
ユーザ機器のサービスタイプが疎なパケットサービスであるか否かを決定するように構成された第１判断ユニットと、
前記第１判断ユニットによって前記ユーザ機器の前記サービスタイプが前記疎なパケットサービスであると決定された場合、前記疎なパケットサービスの間欠受信（ＤＲＸ）パラメータを決定するように構成された第１決定ユニットと、
前記第１決定ユニットによって決定された前記ＤＲＸパラメータを前記ユーザ機器に送信するように構成された送信ユニットと
を具備し、
前記ＤＲＸパラメータは、ＤＲＸ制御を実行するために前記ユーザ機器によって使用される、ことを特徴とする基地局。
【請求項１６】
前記第１判断ユニットが、
前記ユーザ機器によって通知される前記サービスタイプを取得するように構成されたサービスタイプ取得サブユニットと、
前記ユーザ機器によって通知されて前記サービスタイプ取得サブユニットによって取得された前記サービスタイプが前記疎なパケットサービスであるか否かを決定するように構成された第１判断サブユニットと
を具備することを特徴とする請求項１５に記載の基地局。
【請求項１７】
前記第１判断ユニットが、
前記ユーザ機器から受信した複数のデータパケットのパケット到着間隔分布を取得するように構成されたパケット到着間隔分布サブユニットと、
前記パケット到着間隔分布サブユニットによって取得された前記パケット到着間隔分布に基づいて、前記ユーザ機器の前記サービスタイプが前記疎なパケットサービスであるか否かを決定するように構成された第２判断サブユニットと
を具備することを特徴とする請求項１５に記載の基地局。
【請求項１８】
前記パケット到着間隔分布サブユニットが、
所定期間内に前記ユーザ機器から受信した前記複数のデータパケットのＭ個のパケット到着間隔を取得するように構成されたパケット到着間隔取得サブユニットと、
前記パケット到着間隔取得サブユニットによって取得された前記Ｍ個のパケット到着間隔に基づいて、前記パケット到着間隔分布を生成するように構成されたパケット到着間隔生成サブユニットと
を具備し、
Ｍは１以上の整数である、ことを特徴とする請求項１７に記載の基地局。
【請求項１９】
前記パケット到着間隔分布サブユニットが、前記ユーザ機器によって通知される前記パケット到着間隔分布を取得するように構成されることを特徴とする請求項１７に記載の基地局。
【請求項２０】
前記第１決定ユニットが、前記パケット到着間隔分布に基づいて、Ｎセットの所定のＤＲＸパラメータのうちから前記ＤＲＸパラメータを決定するように構成され、
Ｎは１以上の整数である、ことを特徴とする請求項１７ないし１９のいずれか１項に記載の基地局。
【請求項２１】
前記パケット到着間隔分布サブユニットによって取得された前記パケット到着間隔分布中のパケット到着間隔が所定の第１しきい値を超えるか否かを決定するように構成された第２判断ユニットと、
前記第２判断ユニットによって前記パケット到着間隔分布中の前記パケット到着間隔が前記所定の第１しきい値を超えると決定された場合、第１のＤＲＸパラメータ切替え時間を決定し、前記第２判断ユニットによって前記パケット到着間隔分布中の前記パケット到着間隔が前記所定の第１しきい値を超えないと決定された場合、第２のＤＲＸパラメータ切替え時間を決定するように構成された第２決定ユニットと
をさらに具備し、
前記第１のＤＲＸパラメータ切替え時間は、前記第２のＤＲＸパラメータ切替え時間とは異なり、
前記第１のＤＲＸパラメータ切替え時間及び前記第２のＤＲＸパラメータ切替え時間は、前記ＤＲＸパラメータを切り替えるように前記基地局を制御するために使用される、ことを特徴とする請求項１７ないし２０のいずれか１項に記載の基地局。
【請求項２２】
前記ユーザ機器の端末タイプが第１端末タイプであるか否かを決定するように構成された第３判断ユニットと、
前記第３判断ユニットによって前記ユーザ機器の前記端末タイプが前記第１端末タイプであると決定された場合、第１のＤＲＸパラメータ切替え時間を決定し、前記第３判断ユニットによって前記ユーザ機器の前記端末タイプが前記第１端末タイプでないと決定された場合、第２のＤＲＸパラメータ切替え時間を決定するように構成された第３決定ユニットと
をさらに具備し、
前記第１のＤＲＸパラメータ切替え時間は、前記第２のＤＲＸパラメータ切替え時間とは異なり、
前記第１のＤＲＸパラメータ切替え時間及び前記第２のＤＲＸパラメータ切替え時間は、前記ＤＲＸパラメータを切り替えるように前記基地局を制御するために使用される、ことを特徴とする請求項１６ないし２０のいずれか１項に記載の基地局。
【請求項２３】
前記パケット到着間隔分布サブユニットによって取得された前記パケット到着間隔分布中のパケット到着間隔が所定の第２しきい値を超えるか否かを決定するように構成された第４判断ユニットと、
前記第４判断ユニットによって前記パケット到着間隔分布中の前記パケット到着間隔が前記所定の第２しきい値を超えると決定された場合、第１非活動タイマーを決定し、前記第４判断ユニットによって前記パケット到着間隔分布中の前記パケット到着間隔が前記所定の第２しきい値を超えないと決定された場合、第２非活動タイマーを決定するように構成された第４決定ユニットと
をさらに具備し、
前記第１非活動タイマー及び前記第２非活動タイマーは、前記ユーザ機器を待機状態に切り替える時間を制御するために使用される、ことを特徴とする請求項１７ないし２２のいずれか１項に記載の基地局。
【請求項２４】
前記ユーザ機器の端末タイプが第１端末タイプであるか否かを決定するように構成された第５判断ユニットと、
前記第５判断ユニットによって前記ユーザ機器の前記端末タイプが前記第１端末タイプであると決定された場合、第１非活動タイマーを決定し、前記第５判断ユニットによって前記ユーザ機器の前記端末タイプが前記第１端末タイプでないと決定された場合、第２非活動タイマーを決定するように構成された第５決定ユニットと
をさらに具備し、
前記第１非活動タイマー及び前記第２非活動タイマーは、前記ユーザ機器を待機状態に切り替える時間を制御するために使用される、ことを特徴とする請求項１６ないし２２のいずれか１項に記載の基地局。
【請求項２５】
ユーザ機器であって、
ユーザ機器自身のサービスタイプが疎なパケットサービスである場合に、基地局から間欠受信（ＤＲＸ）パラメータを取得するように構成された第２取得ユニットと、
前記第２取得ユニットによって取得された前記ＤＲＸパラメータに基づいて、ＤＲＸ制御を実行するように構成された制御ユニットと
を具備することを特徴とするユーザ機器。
【請求項２６】
前記基地局に前記サービスタイプを通知するように構成された第１通知ユニットをさらに具備し、
前記サービスタイプは、ユーザ機器自身の前記サービスタイプが前記疎なパケットサービスであるか否かを決定するために前記基地局によって使用される、ことを特徴とする請求項２５に記載のユーザ機器。
【請求項２７】
前記基地局に前記サービスタイプのパケット到着間隔分布を通知するように構成された第２通知ユニットをさらに具備し、
前記パケット到着間隔分布は、ユーザ機器自身の前記サービスタイプが前記疎なパケットサービスであるか否かを決定するために前記基地局によって使用される、ことを特徴とする請求項２５に記載のユーザ機器。
【請求項２８】
所定のリストに基づいて、前記サービスタイプの前記パケット到着間隔分布を決定するように構成された第３取得ユニットをさらに具備し、
前記所定のリストには、ユーザ機器自身の前記サービスタイプに対応する前記パケット到着間隔分布が予め設定される、ことを特徴とする請求項２７に記載のユーザ機器。
【発明の詳細な説明】
【技術分野】
【０００１】
本発明は、通信の分野に関し、詳細には、パラメータを設定するための方法、基地局、及びユーザ機器（Ｕｓｅｒ Ｅｑｕｉｐｍｅｎｔ，ＵＥ）に関する。
【背景技術】
【０００２】
第３世代パートナーシッププロジェクト（３ｒｄ Ｇｅｎｅｒａｔｉｏｎ Ｐａｒｔｎｅｒｓｈｉｐ Ｐｒｏｊｅｃｔ，３ＧＰＰ）は、ＵＥが所定期間に送受信機をターンオフ可能とし、それにより、端末の電力節約の目的が達成されるよう、ロングタームエボリューション（Ｌｏｎｇ Ｔｅｒｍ Ｅｖｏｌｕｔｉｏｎ，ＬＴＥ）リリース８（Ｒｅｌ ８）から間欠受信（Ｄｉｓｃｏｎｔｉｎｕｏｕｓ Ｒｅｃｅｐｔｉｏｎ，ＤＲＸ）技術を定義している。
【０００３】
既存のＤＲＸメカニズムは、データの送受信時間が不規則であるか又はデータパケットのサイズが不規則であるような適用シナリオを想定しており、そのＤＲＸ期間は、あまり長くには設定できない。そうでないと、ＵＥがスリープ期にあるときに、探測基準信号（Ｓｏｕｎｄｉｎｇ Ｒｅｆｅｒｅｎｃｅ Ｓｉｇｎａｌ，ＳＲＳ）を時間内に送信できず、その結果、ＵＥのアップリンクに同期ずれが生じることとなる。
【０００４】
しかしながら、ある適用シナリオにおいては、既存のＤＲＸメカニズムが維持される場合、ＵＥは、ＤＲＸ中に長い時間にわたって覚醒（ウェイク）状態にあり、その活動時間が非常に長くなる。これは、端末のエネルギー消費量を増大させる。
【発明の概要】
【発明が解決しようとする課題】
【０００５】
本発明の態様の目的は、パラメータを設定するための方法を提供することにあり、この方法は、パラメータを設定するための既知の方法に起因するＵＥの端末エネルギー消費量増大の問題を解決することを目標とする。
【課題を解決するための手段】
【０００６】
本発明の一態様は、次のように実施される。パラメータを設定するための方法は、
基地局により、ユーザ機器（ＵＥ）のサービスタイプが疎なパケットサービスであるか否かが決定されるステップと、
ＵＥのサービスタイプが疎なパケットサービスである場合、基地局により、疎なパケットサービスの間欠受信（ＤＲＸ）パラメータが決定されるステップと、
基地局により、ＤＲＸパラメータがＵＥに送信されるステップとを有し、ここで、ＤＲＸパラメータは、ＤＲＸ制御を実行するためにＵＥによって使用される。
【０００７】
本発明の態様の別の目的は、パラメータを設定するための方法を提供することにあり、この方法は、
ユーザ機器（ＵＥ）のサービスタイプが疎なパケットサービスである場合に、ＵＥにより、基地局から間欠受信（ＤＲＸ）パラメータが取得されるステップと、
ＵＥにより、ＤＲＸパラメータに基づいて、ＤＲＸパラメータ設定が実行されるステップとを有する。
【０００８】
本発明の態様の別の目的は、基地局を提供することにあり、この基地局は、
ユーザ機器（ＵＥ）のサービスタイプが疎なパケットサービスであるか否かを決定するように構成された第１判断ユニットと、
第１判断ユニットによってＵＥのサービスタイプが疎なパケットサービスであると決定された場合、疎なパケットサービスの間欠受信（ＤＲＸ）パラメータを決定するように構成された第１決定ユニットと、
第１決定ユニットによって決定されたＤＲＸパラメータをＵＥに送信するように構成された送信ユニットと
を具備し、ここで、ＤＲＸパラメータは、ＤＲＸ制御を実行するためにＵＥによって使用される。
【０００９】
本発明の態様の別の目的は、ユーザ機器（ＵＥ）を提供することにあり、このＵＥは、
ＵＥ自身のサービスタイプが疎なパケットサービスである場合に、基地局から間欠受信（ＤＲＸ）パラメータを取得するように構成された第２取得ユニットと、
第２取得ユニットによって取得されたＤＲＸパラメータに基づいて、ＤＲＸ制御を実行するように構成された制御ユニットとを具備する。
【発明の効果】
【００１０】
本発明の態様において、ＵＥのサービスタイプが疎なパケットサービスであると決定された場合、基地局は、ＵＥに対して、対応するＤＲＸパラメータを設定し、それにより、ＵＥのエネルギー消費量を減少させる。
【図面の簡単な説明】
【００１１】
【図１】本発明の一実施形態によって提供されるパラメータを設定するための方法の基地局側における実施形態を示す流れ図である。
【図２】本発明の一実施形態によって提供されるパラメータを設定するための方法のステップＳ１０１の特定の実施形態を示す流れ図である。
【図３】本発明の一実施形態によって提供されるパケット到着間隔分布の図である。
【図４】本発明の一実施形態によって提供されるパラメータを設定するための方法のステップＳ１０３の特定の実施形態を示す流れ図である。
【図５】本発明の別の実施形態によって提供されるパラメータを設定するための方法のステップＳ１０３の特定の実施形態を示す流れ図である。
【図６】本発明の別の実施形態によって提供されるパラメータを設定するための方法の基地局側における実施形態を示す流れ図である。
【図７】本発明の別の実施形態によって提供されるパラメータを設定するための方法の基地局側における実施例を示す流れ図である。
【図８】本発明の一実施形態によって提供されるパラメータを設定するための方法のユーザ機器側における実施形態を示す流れ図である。
【図９】本発明の一実施形態によって提供される基地局の構成図である。
【図１０】本発明の別の実施形態によって提供される基地局の構成図である。
【図１１】本発明の別の実施形態によって提供される基地局の構成図である。
【図１２】本発明の別の実施形態によって提供される基地局の構成図である。
【図１３】本発明の別の実施形態によって提供される基地局の構成図である。
【図１４】本発明の一実施形態によって提供されるユーザ機器の構成図である。
【発明を実施するための形態】
【００１２】
本発明の目的、技術的解決策、及び利点がより容易に理解可能となるよう、これより、添付の図面及び実施形態を参照して本発明を詳細に記載する。明細書中に記載される特定の実施形態は、本発明を例示するためだけに使用されるのであって、本発明を限定することを意図しない、ということが理解されよう。
【００１３】
本発明の一実施形態において、ユーザ機器（ＵＥ）のサービスタイプが疎な（ｓｐａｒｓｅ）パケットサービスであると決定された場合、基地局は、ＵＥに対して、対応する間欠受信（ＤＲＸ）パラメータを設定し、それにより、ＵＥのエネルギー消費量を減少させる。例えば、ＵＥが疎なパケットサービスを使用するプロセスにおけるＤＲＸ状態にあるＵＥの活動時間を減少させ、それにより、ＵＥの端末エネルギー消費量を減少させるよう、より長いＤＲＸ期間が採用されてよい。
【００１４】
本発明の一実施形態において、疎なパケットサービスは、規則的な又は不規則な、疎なパケットサービスを含んでよい。規則的で疎なパケットサービスは、ハートビートサービス（例えば、ＱＱ、ＭＳＮ、ｅｓｐａｃｅなどのインスタントメッセージングサービス）及びマシンツーマシン／マン（Ｍａｃｈｉｎｅ−ｔｏ−Ｍａｃｈｉｎｅ／Ｍａｎ，Ｍ２Ｍ）の周期的サービスを含んでよい。不規則で疎なパケットサービスは、規則的で疎なパケットサービス以外の疎なパケットサービスを指す。このタイプのサービスでは、データの送受信は、ある周期性を有し、毎回、少量のデータが送受信され、かつＵＥがデータ送信を実行する際の遅延時間に対する要求条件は高くない。
【００１５】
図１は、本発明の一実施形態によって提供されるパラメータを設定するための方法を実施する流れを示す。この実施形態において、動作の流れの実行主体は基地局であり、その詳細は以下の通りである。
【００１６】
ステップＳ１０１において、基地局は、ＵＥのサービスタイプが疎なパケットサービスであるか否かを決定する。
【００１７】
本発明の一実施形態のように、基地局は、ＵＥによって通知されるサービスタイプを取得することによって、サービスタイプが疎なパケットサービスであるか否かを決定してよい。この実施形態において、ＵＥは、ＵＥ自身が現在使用しているサービスタイプをアプリケーション層から取得して、当該サービスタイプを基地局に通知してもよい。
【００１８】
本発明の別の実施形態のように、基地局は、ＵＥからのデータパケットのパケット到着間隔分布を取得することによって、ＵＥのサービスタイプが疎なパケットサービスであるか否かを決定してよい。この実施形態において、パケット到着間隔は、ＵＥによって基地局に送信された隣接する２つのデータパケットの到着時間の間隔である。異なるサービスタイプに対して、ＵＥによるデータパケットの送信は、異なる周期性を有し得る。例えば、疎なパケットサービスでは、隣接するデータパケットの送信間隔は、数十秒から数分又は数十分に変化し得、一方、疎なパケットサービス以外のサービスタイプ、例えば、リアルタイム送受信サービスでは、隣接するデータパケットの送信間隔は、数秒又はそれよりも短くなり得る。したがって、基地局は、ＵＥからのデータパケットのパケット到着間隔分布を取得することによって、ＵＥのサービスタイプを決定し得る。
【００１９】
図２に示されたような、本発明の一実施形態のように、基地局は、統計的分析を介して、ＵＥからのデータパケットのパケット到着間隔分布を取得してよい。具体的には、以下の通りである。
【００２０】
ステップＳ２０１において、基地局は、所定期間内にＵＥから受信した複数のデータパケットのＭ個のパケット到着間隔を取得する。ここで、Ｍは１以上の整数である。
【００２１】
この実施形態において、基地局は、所定期間内にＵＥから受信した複数のデータパケットを取得することによって、所定期間内にＵＥから受信した複数のデータパケットのＭ個のパケット到着間隔を取得する。
【００２２】
ステップＳ２０２において、基地局は、Ｍ個のパケット到着間隔に基づいて、パケット到着間隔分布を生成する。
【００２３】
例えば、ＵＥから受信した複数のデータパケットのＭ個のパケット到着間隔を取得した後に、基地局は、図３に示された分布図を取得できる。分布図からは、ＵＥからのデータパケットのほとんどのパケット到着間隔は、区間｛ａ，ｂ］にあり、わずかなパケット到着間隔が、区間｛０，ａ］にある、ということが見てとれる。基地局は、パケット到着間隔分布の主だった区間に基づいて、パケット到着間隔分布に対応するサービスタイプを決定できる。
【００２４】
また、本発明の別の実施形態のように、基地局は、ＵＥの通知メッセージを受信することによって、通知メッセージで伝送されるパケット到着間隔分布を取得してよい。この実施形態において、ＵＥは、自身の現在のサービスタイプをアプリケーション層から取得し、所定のリスト中のサービスタイプのパケット到着間隔分布を取得する。ここで、所定のリストは、ＵＥ側に予め格納され、かつ所定のリストには、ＵＥが使用し得るサービスタイプ及び該サービスタイプに対応するパケット到着間隔分布が予め設定される。
【００２５】
この実施形態において、ＵＥが基地局に通知メッセージを送信する手法は、周期的間隔通知、イベントトリガ時通知、又はイベントトリガ時の周期的間隔通知であってよく、明細書中の記載に限定されない。
【００２６】
ステップＳ１０２において、ＵＥのサービスタイプが疎なパケットサービスである場合、基地局は、疎なパケットサービスのＤＲＸパラメータを決定する。
【００２７】
ステップＳ１０３において、基地局は、ＤＲＸパラメータをＵＥに送信する。ここで、ＤＲＸパラメータは、ＤＲＸ制御を実行するためにＵＥによって使用される。
【００２８】
この実施形態において、ＵＥのサービスタイプが疎なパケットサービスであると決定した場合、基地局は、ＵＥがＤＲＸパラメータ一式に基づいてＤＲＸパラメータ設定を実行するよう、疎なパケットサービスに対応するＤＲＸパラメータ一式を取得し、当該ＤＲＸパラメータ一式をＵＥに送信する。従来技術におけるＤＲＸパラメータと比較すると、疎なパケットサービスに対応するＤＲＸパラメータは、ＤＲＸ状態にあるＵＥの活動時間を減少させるために使用でき、例えば、より長いＤＲＸ期間がＤＲＸパラメータ一式に採用されてよい。例えば、既存のプロトコルの制約下では、疎なパケットサービスのデータパケットのサービスの特徴、すなわち、長いパケット到着間隔時間に基づいて、ＤＲＸ状態にあるＵＥの活動時間を最小化し、それにより、ＵＥの端末エネルギー消費量を節約するよう、プロトコルの最大仕様を満たす２５６０ｍｓ長を有した長いＤＲＸ期間が設定されてよい。長いＤＲＸ期間の長さは一例に過ぎない。さらにまた、プロトコルの進化に伴い、プロトコルの最大仕様を満たす長さは変化し得る。
【００２９】
さらに、基地局は、パケット到着間隔分布を介してＵＥのサービスタイプを決定したとき、Ｎセットの所定のＤＲＸパラメータ一式を予め設定してよい。ここで、Ｎは１以上の整数であり、かつ各パケット到着間隔分布は、１つの所定のＤＲＸパラメータ一式に対応し得る。パケット到着間隔分布を取得した後に、基地局は、Ｎセットの所定のＤＲＸパラメータ一式中のパケット到着間隔分布とのマッチングによって、ＵＥの現在のサービスタイプに最も良く一致するＤＲＸパラメータ一式を決定でき、それにより、ＤＲＸパラメータとＵＥの現在のサービスタイプとの間のマッチングの正確性をさらに向上させ、かつ特定のサービスタイプのサービスの特徴により適合した設定済みＤＲＸパラメータを用意する。
【００３０】
例えば、図３に示されたパケット到着間隔分布の区間は、基地局側での区分を介して取得されてよく、かつ１つの所定のＤＲＸパラメータ一式は、パケット到着間隔分布の各区間中のパケット到着間隔分布に対してマッチングされる。基地局は、パケット到着間隔分布が含まれるパケット到着間隔分布の区間を相応に取得することのみによって、対応するＤＲＸパラメータを決定できる。当然ながら、パケット到着間隔分布の２つ以上の区間中のパケット到着間隔分布は、１つの所定のＤＲＸパラメータ一式に対応し得る。
【００３１】
本発明の一実施形態のように、基地局は、ＵＥのＤＲＸパラメータを切り替えるように基地局自身が制御されるよう、ＵＥのサービスタイプのパケット到着間隔分布に基づいて、ＤＲＸパラメータ切替え時間を決定してよい。ここで、ＵＥは、ＤＲＸ制御を実行するためにＤＲＸパラメータを使用する。図４は、本発明の上記の実施形態によって提供されるパラメータを設定するための方法のステップＳ１０３の特定の流れ図を示す。以下に詳細を記載する。
【００３２】
ステップＳ４０１において、基地局は、パケット到着間隔分布中のパケット到着間隔が所定の第１しきい値を超えるか否かを決定する。
【００３３】
この実施形態において、所定の第１しきい値は、疎なパケットサービスと疎でないパケットサービスとを識別するために使用され得る。所定の第１しきい値を超えるパケット到着間隔は、数十秒、数分、又は数十分であってよく、所定の第１しきい値未満のパケット到着間隔は、数秒であってよい。
【００３４】
ステップＳ４０２において、パケット到着間隔分布中のパケット到着間隔が所定の第１しきい値を超える場合、基地局は、第１のＤＲＸパラメータ切替え時間を決定する。
【００３５】
ステップＳ４０３において、パケット到着間隔分布中のパケット到着間隔が所定の第１しきい値を超えない場合、基地局は、第２のＤＲＸパラメータ切替え時間を決定する。
【００３６】
この実施形態において、第１のＤＲＸパラメータ切替え時間は、第２のＤＲＸパラメータ切替え時間とは異なり、かつ第１のＤＲＸパラメータ切替え時間及び第２のＤＲＸパラメータ切替え時間は、ＤＲＸパラメータを切り替えるように基地局を制御するために使用される。
【００３７】
この実施形態において、適切な時点でＵＥのＤＲＸパラメータを切り替えるように基地局を制御するよう、所定の第１しきい値は、基地局側で予め設定され、基地局によって取得されるＵＥのサービスタイプのパケット到着間隔分布は、所定の第１しきい値と比較される。
【００３８】
一例として、ステップＳ４０１における所定の第１しきい値を決定する原理を挙げると、取得したパケット到着間隔分布中のパケット到着間隔が所定の第１しきい値を超える場合、それは、ＵＥからのデータパケットの送信期間が長いことを指し、したがって、パケット到着間隔分布に対応するサービスタイプは、疎なパケットサービスである。このとき、ＵＥが疎なパケットサービスのサービスタイプに適した状態へとＤＲＸパラメータを調整するためにできるだけ早くＤＲＸパラメータ設定を実行でき、かつＵＥが長時間にわたって活動状態となることを阻止するよう、ＵＥのＤＲＸパラメータは、持続期間の短い第１のＤＲＸパラメータ切替え時間の後に切り替えられる。逆に、取得したパケット到着間隔分布中のパケット到着間隔が所定の第１しきい値を超えない場合、それは、ＵＥからのデータパケットの送信期間が長くないことを指す。このとき、ＵＥは、疎でないパケットサービスを使用しており、したがって、データ送信結果に影響を及ぼさないように、ＵＥのＤＲＸパラメータ設定動作を遅らせ、かつＵＥのリアルタイムデータ送受信プロセスにおける同期ずれを阻止するよう、ＵＥのＤＲＸパラメータは、持続期間の長い第２のＤＲＸパラメータ切替え時間の後に切り替えられる。この実施形態において、基地局は、決定したＤＲＸパラメータ切替え時間に達した後は、もはやアップリンク同期を維持しない。
【００３９】
疎なパケットサービスのデータ送受信プロセスは、ハートビートパケット及び少数のサービスデータパケットを伴い、ハートビートパケットのパケット到着間隔は、比較的長くなり、かつ少数のサービスデータパケットは、短いパケット到着間隔で送信され得る、ということに留意されたい。また、同時に、パケット到着間隔の統計値は、通信リンク障害などの不可抗力な理由に起因して、一定の誤差を含み得る。したがって、本発明のすべての実施形態において、パケット到着間隔分布と関連する所定のしきい値との比較における「超える（ｇｒｅａｔｅｒ ｔｈａｎ）」及び「超えない（ｎｏｔ ｇｒｅａｔｅｒ ｔｈａｎ）」という表現は、統計的誤差によっていくらかは起こり得る統計的結果を無視するよう、著しく「超える」こと及び著しく「超えない」ことの両方を含む。この原理は、以降の実施形態の例示の基礎として使用され、再度の説明は行わない。
【００４０】
さらに、本発明の上記の実施形態において、ＤＲＸパラメータの決定プロセスを速め、かつＤＲＸパラメータの正確性を高めるよう、基地局は、パケット到着間隔分布を取得した後に、パケット到着間隔があるしきい値未満であるパケット到着間隔のデータを除外（フィルタアウト）して、フィルタリング後のパケット到着間隔分布を取得し、フィルタリング後のパケット到着間隔分布に基づいて、対応するパラメータを決定してもよい。
【００４１】
本発明の別の実施形態のように、基地局は、ＵＥの端末タイプに基づいて、ＵＥのＤＲＸパラメータを切り替える時間を決定してよい。図５は、本発明の別の実施形態によって提供されるパラメータを設定するための方法のステップＳ１０３の特定の流れ図を示す。以下に詳細を記載する。
【００４２】
ステップＳ５０１において、基地局は、ＵＥの端末タイプが第１端末タイプであるか否かを決定する。
【００４３】
端末タイプは、これらに限定されないが、スマート端末と、非スマート端末とを含む。スマート端末は、たいていは、非リアルタイムなアプリケーションを実行するために使用される。一例として、端末タイプがスマート端末である場合、基地局は、デフォルト設定によって、ＵＥのサービスタイプを疎なパケットサービスとみなしてよい。この実施形態において、基地局は、ＵＥの通知メッセージを受信し、ＵＥの端末タイプを示すために使用されるコンテンツ又は特定のフィールドを通知メッセージから抽出し、それにより、ＵＥの端末タイプを取得してもよい。また、基地局は、基地局側のデフォルト端末タイプに基づいて、ＵＥの端末タイプを決定してもよく、例えば、基地局は、デフォルト設定によって、ＵＥの端末タイプをスマート端末とみなす。
【００４４】
ステップＳ５０２において、ＵＥの端末タイプが第１端末タイプである場合、基地局は、第１のＤＲＸパラメータ切替え時間を決定する。
【００４５】
ステップＳ５０３において、ＵＥの端末タイプが第１端末タイプでない場合、基地局は、第２のＤＲＸパラメータ切替え時間を決定する。
【００４６】
第１のＤＲＸパラメータ切替え時間は、第２のＤＲＸパラメータ切替え時間とは異なり、かつ第１のＤＲＸパラメータ切替え時間及び第２のＤＲＸパラメータ切替え時間は、ＤＲＸパラメータを切り替えるように基地局を制御するために使用される。
【００４７】
この実施形態において、ＵＥの端末タイプを介してＤＲＸパラメータ切替え時間を決定する原理は、本発明の図４の実施形態の原理と一致する。換言すれば、ＵＥの端末タイプが第１端末タイプ（スマート端末）である場合、ＵＥが疎なパケットサービスを使用すると決定される。このとき、ＵＥが疎なパケットサービスのサービスタイプに適した状態へとＤＲＸパラメータを調整するためにできるだけ早くＤＲＸパラメータ設定を実行し、かつＵＥが長時間にわたって活動状態となることを阻止するよう、ＵＥのＤＲＸパラメータは、持続期間の短い第１のＤＲＸパラメータ切替え時間の後に切り替えられる。逆に、ＵＥの端末タイプが第１端末タイプでない場合、ＵＥがおそらくは疎でないパケットサービスを使用すると決定され、したがって、データ送信結果に影響を及ぼさないように、ＵＥのＤＲＸパラメータ設定動作を遅らせ、かつＵＥのリアルタイムデータ送受信プロセスにおける同期ずれを阻止するよう、ＵＥのＤＲＸパラメータは、持続期間の長い第２のＤＲＸパラメータ切替え時間の後に切り替えられる。この実施形態において、基地局は、決定したＤＲＸパラメータ切替え時間に達した後は、もはやアップリンク同期を維持しない。
【００４８】
さらに、本発明の一実施形態のように、疎なパケットサービスを使用するＵＥのプロセスにおけるシグナリング消費量を減少させるために、ＵＥを待機状態に切り替える時間は、ＵＥのサービスタイプのパケット到着間隔に基づいて制御されてよい。図６に示されるように、ステップＳ１０３の後に、上記の方法は、以下のステップをさらに含む。
【００４９】
ステップＳ６０１において、基地局は、パケット到着間隔分布中のパケット到着間隔が所定の第２しきい値を超えるか否かを決定する。
【００５０】
ステップＳ６０２において、パケット到着間隔分布中のパケット到着間隔が所定の第２しきい値を超える場合、基地局は、第１非活動タイマーを決定する。
【００５１】
ステップＳ６０３において、パケット到着間隔分布中のパケット到着間隔が所定の第２しきい値を超えない場合、基地局は、第２非活動タイマーを決定する。
【００５２】
第１非活動タイマー及び第２非活動タイマーは、ＵＥを待機状態に切り替える時間を制御するために使用される。
【００５３】
この実施形態の所定の第１しきい値を予め設定する原理と同様に、この実施形態において、所定の第２しきい値は、疎なパケットサービスと疎でないパケットサービスとを識別するために、基地局側で予め設定される。取得したパケット到着間隔分布中のパケット到着間隔が所定の第２しきい値を超える場合、それは、ＵＥが疎なパケットサービスを使用していることを指し、したがって、非活動タイマーが満了した後に接続を解除し、かつハートビートが生じた後に接続を再確立するという動作がＵＥによって頻繁に行われることを阻止し、それにより、シグナリングオーバーヘッドを効果的に減少させるよう、ＵＥに対して、長い非活動タイマーが設定される。取得したパケット到着間隔分布中のパケット到着間隔が所定の第２しきい値を超えない場合、それは、ＵＥが疎でないパケットサービスを使用していることを指し、したがって、ＵＥのリアルタイムデータ送受信に対する要求条件を満たすよう、ＵＥに対して、短い非活動タイマーが設定される。
【００５４】
本発明の別の実施形態のように、疎なパケットサービスを使用するＵＥのプロセスにおけるシグナリング消費量を減少させるために、ＵＥを待機状態に切り替える時間は、ＵＥの端末タイプに基づいて制御されてよい。図７に示されるように、ステップＳ１０３の後に、上記の方法は、以下のステップをさらに含む。
【００５５】
ステップＳ７０１において、基地局は、ＵＥの端末タイプが第１端末タイプであるか否かを決定する。
【００５６】
本発明の図５の実施形態の端末タイプを決定する原理と同様に、基地局は、ＵＥの通知メッセージを受信し、ＵＥの端末タイプを示すために使用されるコンテンツ又は特定のフィールドを通知メッセージから抽出し、それにより、ＵＥの端末タイプを取得してよい。また、基地局は、基地局側のデフォルト端末タイプに基づいて、ＵＥの端末タイプを決定してもよく、例えば、基地局は、デフォルト設定によって、ＵＥの端末タイプをスマート端末とみなす。
【００５７】
ステップＳ７０２において、ＵＥの端末タイプが第１端末タイプである場合、基地局は、第１非活動タイマーを決定する。
【００５８】
ステップＳ７０３において、ＵＥの端末タイプが第１端末タイプでない場合、基地局は、第２非活動タイマーを決定する。
【００５９】
第１非活動タイマー及び第２非活動タイマーは、ＵＥを待機状態に切り替える時間を制御するために使用される。
【００６０】
例えば、ＵＥの端末タイプが第１端末タイプ（スマート端末）である場合、基地局は、デフォルト設定によって、ＵＥのサービスタイプを疎なパケットサービスとみなし、非活動タイマーが満了した後に接続を解除し、かつハートビートが生じた後に接続を再確立するという動作がＵＥによって頻繁に行われることを阻止し、それにより、シグナリングオーバーヘッドを効果的に減少させるよう、ＵＥに対して、長い非活動タイマーを自動的に設定する。ＵＥの端末タイプが第１端末タイプでない場合、それは、ＵＥが疎でないパケットサービスを使用していることを指し、したがって、ＵＥのリアルタイムデータ送受信に対する要求条件を満たすよう、ＵＥに対して、短い非活動タイマーが設定される。
【００６１】
本発明の上記の実施形態において、ＵＥのサービスタイプが疎なパケットサービスであると決定された場合、基地局は、ＵＥが疎なパケットサービスを使用するプロセスにおけるＵＥの活動時間を減少させ、それにより、ＵＥの端末エネルギー消費量を減少させるよう、ＵＥに対して、対応するＤＲＸパラメータを設定し、同時に、対応するＤＲＸパラメータ切替え時間を決定する。
【００６２】
本発明の図１から図７の実施形態の実施原理は、基地局が、ＵＥのサービスタイプが疎でないパケットサービスであると決定する場合にも適用可能である、ということに留意されたい。この場合、基地局は、同一の実施原理に基づいて、疎でないパケットサービスに適したＤＲＸパラメータをＵＥに送信してよく、又は、ＤＲＸパラメータの動的な設定が実施されるよう、疎なパケットサービスに対応するＤＲＸ状態に切り替える前に、ＤＲＸパラメータ一式を使用し続けるようにＵＥに命令してもよい。
【００６３】
図８は、本発明の一実施形態によって提供されるパラメータを設定するための方法の実施の流れを示す。この実施形態において、動作の流れの実行主体はＵＥであり、その詳細は以下の通りである。
【００６４】
ステップＳ８０１において、ＵＥのサービスタイプが疎なパケットサービスである場合、ＵＥは、基地局からＤＲＸパラメータを取得する。
【００６５】
この実施形態において、ＵＥのサービスタイプは、基地局によって決定され、かつＵＥのサービスタイプが疎なパケットサービスであると決定した場合、基地局は、疎なパケットサービスに対応するＤＲＸパラメータ一式を取得し、当該ＤＲＸパラメータをＵＥに送信し、そして、ＵＥが基地局からＤＲＸパラメータを取得する。
【００６６】
従来技術におけるＤＲＸパラメータと比較すると、疎なパケットサービスに対応するＤＲＸパラメータは、ＤＲＸ状態にあるＵＥの活動時間を減少させるために使用でき、例えば、より長いＤＲＸ期間がＤＲＸパラメータ一式に採用されてよい。例えば、既存のプロトコルの制約下では、疎なパケットサービスのデータパケットのサービスの特徴、すなわち、長いパケット到着間隔時間に基づいて、ＤＲＸ状態にあるＵＥの活動時間を最小化し、それにより、ＵＥの端末エネルギー消費量を節約するよう、プロトコルの最大仕様を満たす２５６０ｍｓ長を有した長いＤＲＸ期間が設定されてよい。長いＤＲＸ期間の長さは一例に過ぎない。さらにまた、プロトコルの進化に伴い、プロトコルの最大仕様を満たす長さは変化し得る。
【００６７】
本発明の一実施形態のように、ＵＥは、サービスタイプを基地局に通知し、通知されたサービスタイプは、ＵＥのサービスタイプが疎なパケットサービスであるか否かを決定するために基地局によって使用される。ここで、ＵＥは、サービスタイプを基地局に通知するよう、ＵＥ自身が現在使用しているサービスタイプをアプリケーション層から取得してよい。
【００６８】
本発明の別の実施形態のように、ＵＥは、サービスタイプのパケット到着間隔分布を基地局に通知し、パケット到着間隔分布は、ＵＥのサービスタイプが疎なパケットサービスであるか否かを決定するために基地局によって使用される。
【００６９】
この実施形態において、パケット到着間隔は、ＵＥによって基地局に送信される隣接する２つのデータパケットの到着時間の間隔である。異なるサービスタイプに対して、ＵＥによるデータパケットの送信は、異なる周期性を有し得る。例えば、疎なパケットサービスでは、隣接するデータパケットの送信間隔は、数十秒から数分又は数十分に変化し得、一方、疎なパケットサービス以外のサービスタイプ、例えば、リアルタイム送受信サービスでは、隣接するデータパケットの送信間隔は、数秒又はそれよりも短くなり得る。したがって、基地局は、ＵＥからのデータパケットのパケット到着間隔分布を取得することによって、ＵＥのサービスタイプを決定し得る。
【００７０】
特に、ＵＥは、所定のリストに基づいて、ＵＥ自身のサービスタイプのパケット到着間隔分布を決定し、それにより、パケット到着間隔分布を基地局に送信する。ここで、所定のリストには、ＵＥのサービスタイプに対応するパケット到着間隔分布が予め設定され、かつ所定のリストは、ＵＥに予め格納される。
【００７１】
ステップＳ８０２において、ＵＥは、取得したＤＲＸパラメータに基づいて、ＤＲＸ制御を実行する。
【００７２】
この実施形態において、ＵＥは、ＵＥ自身が疎なパケットサービスを使用する場合に、ＤＲＸ状態にあるＵＥの活動時間を減少させ、それにより、ＵＥの端末エネルギー消費量を効果的に減少させるよう、取得したＤＲＸパラメータに基づいて、ＤＲＸ制御を実行する。
【００７３】
この実施形態の実施原理は、本発明の図１から図７の実施形態の関連する実施原理と一致し、したがって、明細書中では、その詳細は繰り返し説明されない。
【００７４】
図９は、本発明の一実施形態によって提供される基地局の構成図である。上記の構成は、本発明の図１から図７に示されたパラメータを設定するための方法を実行するために使用される。例示の都合上、この実施形態に関係する部分だけが示される。
【００７５】
図９を参照すると、基地局は、
ユーザ機器（ＵＥ）のサービスタイプが疎なパケットサービスであるか否かを決定する、第１判断ユニット９１を備える。
【００７６】
本発明の一実施形態のように、基地局は、ＵＥによって通知されるサービスタイプを取得することによって、サービスタイプが疎なパケットサービスであるか否かを決定してよい。この実施形態において、ＵＥは、ＵＥ自身が現在使用しているサービスタイプをアプリケーション層から取得し、当該サービスタイプを基地局に通知してもよい。
【００７７】
この実施形態において、第１判断ユニット９１は、
ＵＥから通知されるサービスタイプを取得する、サービスタイプ取得サブユニットと、
ＵＥによって通知されてサービスタイプ取得サブユニットによって取得されたサービスタイプが疎なパケットサービスであるか否かを決定する、第１決定サブユニットとを備える。
【００７８】
本発明の別の実施形態のように、基地局は、ＵＥからのデータパケットのパケット到着間隔分布を取得することによって、ＵＥのサービスタイプが疎なパケットサービスであるか否かを決定してよい。この実施形態において、パケット到着間隔は、ＵＥによって基地局に送信される隣接する２つのデータパケットの到着時間の間隔である。異なるサービスタイプに対して、ＵＥによるデータパケットの送信は、異なる周期性を有し得る。例えば、疎なパケットサービスでは、隣接するデータパケットの送信間隔は、数十秒から数分又は数十分に変化し得、一方、疎なパケットサービス以外のサービスタイプ、例えば、リアルタイム送受信サービスでは、隣接するデータパケットの送信間隔は、数秒又はそれよりも短くなり得る。したがって、基地局は、ＵＥからのデータパケットのパケット到着間隔分布を取得することによって、ＵＥのサービスタイプを決定し得る。
【００７９】
以下、ＵＥからのデータパケットのパケット到着間隔分布を取得することによって、ＵＥのサービスタイプが疎なパケットサービスであるか否かを決定する場合について記載する。
【００８０】
選択的に、第１判断ユニット９１は、
ＵＥからのデータパケットのパケット到着間隔分布を取得する、パケット到着間隔分布サブユニットと、
パケット到着間隔分布サブユニットによって取得されたパケット到着間隔分布に基づいて、ＵＥのサービスタイプが疎なパケットサービスであるか否かを決定する、第２判断サブユニットとを備える。
【００８１】
選択的に、基地局は、統計的分析を介して、ＵＥからのデータパケットのパケット到着間隔分布を取得してもよい。このとき、パケット到着間隔分布サブユニットは、
所定期間内にＵＥから受信したデータパケットのＭ個のパケット到着間隔を取得する、パケット到着間隔取得サブユニットと、
パケット到着間隔取得サブユニットによって取得されたＭ個のパケット到着間隔に基づいて、パケット到着間隔分布を生成する、パケット到着間隔生成サブユニットとを備える。ここで、Ｍは１以上の整数である。
【００８２】
また、選択的に、基地局は、ＵＥの通知メッセージを受信することによって、通知メッセージで伝送されるパケット到着間隔分布を取得してもよい。この実施形態において、ＵＥは、自身の現在のサービスタイプをアプリケーション層から取得し、所定のリスト中のサービスタイプのパケット到着間隔分布を取得する。ここで、所定のリストは、ＵＥ側に予め格納され、かつ所定のリストには、ＵＥが使用し得るサービスタイプ及び該サービスタイプに対応するパケット到着間隔分布が予め設定される。このとき、パケット到着間隔分布サブユニットは、ＵＥによって通知されるパケット到着間隔分布を取得するように構成される。
【００８３】
基地局は、第１決定ユニット９２と、送信ユニット９３とをさらに備える。
【００８４】
第１決定ユニット９２は、第１判断ユニット９１によってＵＥのサービスタイプが疎なパケットサービスであると決定された場合、疎なパケットサービスのＤＲＸパラメータを決定する。
【００８５】
選択的に、第１決定ユニット９２は、パケット到着間隔分布に基づいて、Ｎセットの所定のＤＲＸパラメータ一式中の対応するＤＲＸパラメータを決定するように構成される。ここで、Ｎは１以上の整数である。
【００８６】
さらに、基地局は、パケット到着間隔分布を介してＵＥのサービスタイプを決定したとき、Ｎセットの所定のＤＲＸパラメータ一式を予め設定してよい。ここで、Ｎは１以上の整数であり、かつ各パケット到着間隔分布は、１つの所定のＤＲＸパラメータ一式に対応し得る。パケット到着間隔分布を取得した後に、基地局は、Ｎセットの所定のＤＲＸパラメータ一式中のパケット到着間隔分布とのマッチングによって、ＵＥの現在のサービスタイプに最も良く一致するＤＲＸパラメータ一式を決定でき、それにより、ＤＲＸパラメータとＵＥの現在のサービスタイプとの間のマッチングの正確性をさらに向上させ、かつ特定のサービスタイプのサービスの特徴により適合した設定済みＤＲＸパラメータを用意する。
【００８７】
送信ユニット９３は、第１決定ユニット９２によって決定されたＤＲＸパラメータをＵＥに送信する。ここで、ＤＲＸパラメータは、ＤＲＸ制御を実行するためにＵＥによって使用される。
【００８８】
この実施形態において、ＵＥのサービスタイプが疎なパケットサービスであると決定した場合、基地局は、ＵＥがＤＲＸパラメータ一式に基づいてＤＲＸを実行するよう、疎なパケットサービスに対応するＤＲＸパラメータ一式を取得し、当該ＤＲＸパラメータ一式をＵＥに送信する。従来技術におけるＤＲＸパラメータと比較すると、疎なパケットサービスに対応するＤＲＸパラメータは、ＤＲＸ状態にあるＵＥの活動時間を減少させるために使用でき、例えば、より長いＤＲＸ期間がＤＲＸパラメータ一式に採用されてよい。例えば、既存のプロトコルの制約下では、疎なパケットサービスのデータパケットのサービスの特徴、すなわち、長いパケット到着間隔時間に基づいて、ＤＲＸ状態にあるＵＥの活動時間を最小化し、それにより、ＵＥの端末エネルギー消費量を節約するよう、プロトコルの最大仕様を満たす２５６０ｍｓ長を有した長いＤＲＸ期間が設定されてよい。長いＤＲＸ期間の長さは一例に過ぎない。さらにまた、プロトコルの進化に伴い、プロトコルの最大仕様を満たす長さは変化し得る。
【００８９】
選択的に、基地局は、ＤＲＸパラメータを切り替えるように基地局自身が制御されるよう、ＵＥのサービスタイプのパケット到着間隔分布に基づいて、ＤＲＸパラメータ切替え時間を決定してよい。図１０に示されるように、この実施形態において、基地局は、第２判断ユニット９４と、第２決定ユニット９５とをさらに備える。
【００９０】
第２判断ユニット９４は、パケット到着間隔分布サブユニットによって取得されたパケット到着間隔分布中のパケット到着間隔が所定の第１しきい値を超えるか否かを決定する。
【００９１】
この実施形態において、所定の第１しきい値は、疎なパケットサービスと疎でないパケットサービスとを識別するために使用され得る。所定の第１しきい値を超えるパケット到着間隔は、数十秒、数分、又は数十分であってよく、所定の第１しきい値未満のパケット到着間隔は、数秒であってよい。
【００９２】
第２決定ユニット９５は、第２判断ユニット９４によってパケット到着間隔分布中のパケット到着間隔が所定の第１しきい値を超えると決定された場合、第１のＤＲＸパラメータ切替え時間を決定し、第２判断ユニット９４によってパケット到着間隔分布中のパケット到着間隔が所定の第１しきい値を超えないと決定された場合、第２のＤＲＸパラメータ切替え時間を決定する。ここで、第１のＤＲＸパラメータ切替え時間は、第２のＤＲＸパラメータ切替え時間とは異なり、かつ第１のＤＲＸパラメータ切替え時間及び第２のＤＲＸパラメータ切替え時間は、ＤＲＸパラメータを切り替えるように基地局を制御するために使用される。
【００９３】
例えば、取得したパケット到着間隔分布中のパケット到着間隔が所定の第１しきい値を超える場合、それは、ＵＥからのデータパケットの送信期間が長いことを指し、したがって、パケット到着間隔分布に対応するサービスタイプは、疎なパケットサービスである。このとき、ＵＥが疎なパケットサービスのサービスタイプに適した状態へとＤＲＸパラメータを調整するためにできるだけ早くＤＲＸパラメータ設定を実行でき、かつＵＥが長時間にわたって活動状態となることを阻止するよう、ＵＥのＤＲＸパラメータは、持続期間の短い第１のＤＲＸパラメータ切替え時間の後に切り替えられる。逆に、取得したパケット到着間隔分布中のパケット到着間隔が所定の第１しきい値を超えない場合、それは、ＵＥからのデータパケットの送信期間が長くないことを指す。このとき、ＵＥは、疎でないパケットサービスを使用しており、したがって、データ送信結果に影響を及ぼさないように、ＵＥのＤＲＸパラメータ設定動作を遅らせ、かつＵＥのリアルタイムデータ送受信プロセスにおける同期ずれを阻止するよう、ＵＥのＤＲＸパラメータは、持続期間の長い第２のＤＲＸパラメータ切替え時間の後に切り替えられる。
【００９４】
選択的に、基地局は、ＵＥの端末タイプに基づいて、ＵＥのＤＲＸパラメータを切り替える時間を決定してよい。図１１に示されるように、この実施形態において、基地局は、第３判断ユニット９６と、第３決定ユニット９７とをさらに備える。
【００９５】
第３判断ユニット９６は、ＵＥの端末タイプが第１端末タイプであるか否かを決定する。
【００９６】
端末タイプは、これらに限定されないが、スマート端末と、非スマート端末とを含む。スマート端末は、たいていは、非リアルタイムなアプリケーションを実行するために使用される。一例として、端末タイプがスマート端末である場合、基地局は、デフォルト設定によって、ＵＥのサービスタイプを疎なパケットサービスとみなしてよい。この実施形態において、基地局は、ＵＥの通知メッセージを受信し、ＵＥの端末タイプを示すために使用されるコンテンツ又は特定のフィールドを通知メッセージから抽出し、それにより、ＵＥの端末タイプを取得してもよい。また、基地局は、基地局側のデフォルト端末タイプに基づいて、ＵＥの端末タイプを決定してもよく、例えば、基地局は、デフォルト設定によって、ＵＥの端末タイプをスマート端末とみなす。
【００９７】
第３決定ユニット９７は、第３判断ユニット９６によってＵＥの端末タイプが第１端末タイプであると決定された場合、第１のＤＲＸパラメータ切替え時間を決定し、第３判断ユニット９６によってＵＥの端末タイプが第１端末タイプでないと決定された場合、第２のＤＲＸパラメータ切替え時間を決定する。ここで、第１のＤＲＸパラメータ切替え時間は、第２のＤＲＸパラメータ切替え時間とは異なり、かつ第１のＤＲＸパラメータ切替え時間及び第２のＤＲＸパラメータ切替え時間は、ＤＲＸパラメータを切り替えるように基地局を制御するために使用される。
【００９８】
例えば、ＵＥの端末タイプが第１端末タイプ（スマート端末）である場合、ＵＥが疎なパケットサービスを使用すると決定される。このとき、ＵＥが疎なパケットサービスのサービスタイプに適した状態へとＤＲＸパラメータを調整するためにできるだけ早くＤＲＸパラメータ設定を実行し、かつＵＥが長時間にわたって活動状態となることを阻止するよう、ＵＥのＤＲＸパラメータは、持続期間の短い第１のＤＲＸパラメータ切替え時間の後に切り替えられる。逆に、ＵＥの端末タイプが第１端末タイプでない場合、ＵＥがたいていは疎でないパケットサービスを使用すると決定され、したがって、データ送信結果に影響を及ぼさないように、ＵＥのＤＲＸパラメータ設定動作を遅らせ、かつＵＥのリアルタイムデータ送受信プロセスにおける同期ずれを阻止するよう、ＵＥのＤＲＸパラメータは、持続期間の長い第２のＤＲＸパラメータ切替え時間の後に切り替えられる。
【００９９】
さらに、本発明の一実施形態のように、疎なパケットサービスを使用するＵＥのプロセスにおけるシグナリング消費量を減少させるために、ＵＥを待機状態に切り替える時間は、ＵＥのサービスタイプのパケット到着間隔に基づいて制御されてよい。
【０１００】
選択的に、図１２に示されるように、基地局は、
パケット到着間隔分布サブユニットによって取得されたパケット到着間隔分布中のパケット到着間隔が所定の第２しきい値を超えるか否かを決定する、第４判断ユニット１２０１と、
第４判断ユニット１２０１によってパケット到着間隔分布中のパケット到着間隔が所定の第２しきい値を超えると決定された場合、第１非活動タイマーを決定し、第４判断ユニット１２０１によってパケット到着間隔分布中のパケット到着間隔が所定の第２しきい値を超えないと決定された場合、第２非活動タイマーを決定する、第４決定ユニット１２０２とをさらに備える。ここで、第１非活動タイマー及び第２非活動タイマーは、ＵＥを待機状態に切り替える時間を制御するために使用される。
【０１０１】
この実施形態において、所定の第２しきい値は、疎なパケットサービスと疎でないパケットサービスとを識別するために、基地局側で予め設定される。取得したパケット到着間隔分布中のパケット到着間隔が所定の第２しきい値を超える場合、それは、ＵＥが疎なパケットサービスを使用していることを指し、したがって、非活動タイマーが満了した後に接続を解除し、かつハートビートが生じた後に接続を再確立するという動作がＵＥによって頻繁に行われることを阻止し、それにより、シグナリングオーバーヘッドを効果的に減少させるよう、ＵＥに対して、長い非活動タイマーが設定される。取得したパケット到着間隔分布中のパケット到着間隔が所定の第２しきい値を超えない場合、それは、ＵＥが疎でないパケットサービスを使用していることを指し、したがって、ＵＥのリアルタイムデータ送受信に対する要求条件を満たすよう、ＵＥに対して、短い非活動タイマーが設定される。
【０１０２】
選択的に、疎なパケットサービスを使用するＵＥのプロセスにおけるシグナリング消費量を減少させるために、ＵＥを待機状態に切り替える時間は、ＵＥの端末タイプに基づいて制御されてよい。図１３に示されるように、基地局は、
端末タイプが第１端末タイプであるか否かを決定する、第５判断ユニット１３０１と、
第５判断ユニット１３０１によってＵＥの端末タイプが第１端末タイプであると決定された場合、第１非活動タイマーを決定し、第５判断ユニット１３０１によってＵＥの端末タイプが第１端末タイプでないと決定された場合、第２非活動タイマーを決定する、第５決定ユニット１３０２とをさらに備える。ここで、第１非活動タイマー及び第２非活動タイマーは、ＵＥを待機状態に切り替える時間を制御するために使用される。
【０１０３】
例えば、ＵＥの端末タイプが第１端末タイプ（スマート端末）である場合、基地局は、デフォルト設定によって、ＵＥのサービスタイプを疎なパケットサービスとみなし、非活動タイマーが満了した後に接続を解除し、かつハートビートが生じた後に接続を再確立するという動作がＵＥによって頻繁に行われることを阻止し、それにより、シグナリングオーバーヘッドを効果的に減少させるよう、ＵＥに対して、長い非活動タイマーを自動的に取得する。ＵＥの端末タイプが第１端末タイプでない場合、それは、ＵＥが疎でないパケットサービスを使用していることを指し、したがって、ＵＥのリアルタイムデータ送受信に対する要求条件を満たすよう、ＵＥに対して、短い非活動タイマーが設定される。
【０１０４】
図１４は、本発明の一実施形態によって提供されるＵＥの構成図である。上記の構成は、本発明の図８に示されたパラメータを設定するための方法を実行するために使用される。例示の都合上、この実施形態に関連する部分だけが示される。
【０１０５】
図１４を参照すると、ＵＥは、第２取得ユニット１４０１と、制御ユニット１４０２とを備える。
【０１０６】
第２取得ユニット１４０１は、ＵＥのサービスタイプが疎なパケットサービスである場合に、基地局からＤＲＸパラメータを取得する。
【０１０７】
この実施形態において、ＵＥのサービスタイプは、基地局によって決定され、かつＵＥのサービスタイプが疎なパケットサービスであると決定した場合、基地局は、疎なパケットサービスに対応するＤＲＸパラメータ一式を取得し、そして、ＵＥが基地局からＤＲＸパラメータを取得する。
【０１０８】
制御ユニット１４０２は、第２取得ユニット１４０１によって取得されたＤＲＸパラメータに基づいて、ＤＲＸ制御を実行する。
【０１０９】
従来技術におけるＤＲＸパラメータと比較すると、疎なパケットサービスに対応するＤＲＸパラメータは、ＤＲＸ状態にあるＵＥの活動時間を減少させるために使用でき、例えば、より長いＤＲＸ期間がＤＲＸパラメータ一式に採用されてよい。例えば、既存のプロトコルの制約下では、疎なパケットサービスのデータパケットのサービスの特徴、すなわち、長いパケット到着間隔時間に基づいて、ＤＲＸ状態にあるＵＥの活動時間を最小化し、それにより、ＵＥの端末エネルギー消費量を節約するよう、プロトコルの最大仕様を満たす２５６０ｍｓ長を有した長いＤＲＸ期間が設定されてよい。長いＤＲＸ期間の長さは一例に過ぎない。さらにまた、プロトコルの進化に伴い、プロトコルの最大仕様を満たす長さは変化し得る。
【０１１０】
選択的に、ＵＥは、
ＵＥのサービスタイプを基地局に通知する、第１通知ユニットをさらに備える。ここで、サービスタイプは、ＵＥのサービスタイプが疎なパケットサービスであるか否かを決定するために基地局によって使用される。
【０１１１】
ＵＥは、基地局にサービスタイプを通知するよう、ＵＥ自身によって現在使用されているサービスタイプをアプリケーション層から取得してよい。
【０１１２】
選択的に、ＵＥは、
サービスタイプのパケット到着間隔分布を基地局に通知する、第２通知ユニットをさらに備える。ここで、パケット到着間隔分布は、ＵＥのサービスタイプが疎なパケットサービスであるか否かを決定するために基地局によって使用される。
【０１１３】
この実施形態において、パケット到着間隔は、ＵＥによって基地局に送信された隣接する２つのデータパケットの到着時間の間隔である。異なるサービスタイプに対して、ＵＥによるデータパケットの送信は、異なる周期性を有し得る。例えば、疎なパケットサービスでは、隣接するデータパケットの送信間隔は、数十秒から数分又は数十分に変化し得、一方、疎なパケットサービス以外のサービスタイプ、例えば、リアルタイム送受信サービスでは、隣接するデータパケットの送信間隔は、数秒又はそれよりも短くなり得る。したがって、基地局は、ＵＥからのデータパケットのパケット到着間隔分布を取得することによって、ＵＥのサービスタイプを決定し得る。
【０１１４】
特に、ＵＥは、
所定のリストに基づいて、ＵＥのサービスタイプのパケット到着間隔分布を決定する、第３取得ユニットを備える。ここで、所定のリストには、ＵＥのサービスタイプに対応するパケット到着間隔分布が予め設定される。
【０１１５】
本発明の上記の実施形態において、ＵＥのサービスタイプが疎なパケットサービスであると決定された場合、基地局は、ＵＥが疎なパケットサービスを使用するプロセスにおけるＵＥの活動時間を減少させ、それにより、ＵＥの端末エネルギー消費量を減少させるよう、ＵＥに対して、対応するＤＲＸパラメータを設定する。
【０１１６】
方法の各実施形態のステップのすべて又はその一部、及び装置の実施形態が、ハードウェアに関連するプログラム命令によって実施されてよい、ということが当業者には理解されよう。プログラムは、コンピュータ読み取り可能な記録媒体に格納されてよい。プログラムの実行中に、上記の方法の各実施形態のステップが実行される。記録媒体は、ＲＯＭ、ＲＡＭ、磁気ディスク、又は光ディスクなどの、プログラムコードを格納可能な任意の媒体を含む。ハードウェアは、メモリ、プロセッサ、及びトランシーバーなどの、固有の表現形式を有してよい。
【０１１７】
以上の記載は、本発明の例示的な実施形態に過ぎず、本発明を限定することを意図しない。本発明の思想及び原理の範囲内でなされる、すべての修正、均等な置換、及び改良は、本発明の保護範囲内にある。
【符号の説明】
【０１１８】
９１  第１判断ユニット
９２  第１決定ユニット
９３  送信ユニット
９４  第２判断ユニット
９５  第２決定ユニット
９６  第３判断ユニット
９７  第３決定ユニット
１２０１  第４判断ユニット
１２０２  第４決定ユニット
１３０１  第５判断ユニット
１３０２  第５決定ユニット
１４０１  第２取得ユニット
１４０２  制御ユニット
【図１】
2015525989.tif 000003
【図２】
2015525989.tif 000004
【図３】
2015525989.tif 000005
【図４】
2015525989.tif 000006
【図５】
2015525989.tif 000007
【図６】
2015525989.tif 000008
【図７】
2015525989.tif 000009
【図８】
2015525989.tif 000010
【図９】
2015525989.tif 000011
【図１０】
2015525989.tif 000012
【図１１】
2015525989.tif 000013
【図１２】
2015525989.tif 000014
【図１３】
2015525989.tif 000015
【図１４】
2015525989.tif 000016
【手続補正書】
【提出日】平成27年2月5日(2015.2.5)
【手続補正１】
【補正対象書類名】特許請求の範囲
【補正対象項目名】全文
【補正方法】変更
【補正の内容】
【特許請求の範囲】
【請求項１】
パラメータを設定するための方法であって、
基地局により、ユーザ機器のサービスタイプが疎なパケットサービスであるか否かが決定されるステップと、
前記ユーザ機器の前記サービスタイプが前記疎なパケットサービスである場合、前記基地局により、前記疎なパケットサービスの間欠受信（ＤＲＸ）パラメータが決定されるステップと、
前記基地局により、前記ＤＲＸパラメータが前記ユーザ機器に送信されるステップと
を有し、
前記ＤＲＸパラメータは、ＤＲＸ制御を実行するために前記ユーザ機器によって使用される、ことを特徴とする方法。
【請求項２】
基地局により、ユーザ機器のサービスタイプが疎なパケットサービスであるか否かが決定される前記ステップが、
前記基地局により、前記ユーザ機器によって通知される前記サービスタイプが取得され、前記ユーザ機器によって通知される前記サービスタイプが前記疎なパケットサービスであるか否かが決定されるステップ、又は、
前記基地局により、前記ユーザ機器から受信した複数のデータパケットのパケット到着間隔分布が取得され、前記パケット到着間隔分布に基づいて、前記ユーザ機器の前記サービスタイプが前記疎なパケットサービスであるか否かが決定されるステップ
を含むことを特徴とする請求項１に記載の方法。
【請求項３】
前記基地局により、前記ユーザ機器から受信した複数のデータパケットのパケット到着間隔分布が取得される前記ステップが、
前記基地局により、所定期間内に前記ユーザ機器から受信した前記複数のデータパケットのＭ個のパケット到着間隔が取得され、前記Ｍ個のパケット到着間隔に基づいて、前記パケット到着間隔分布が生成されるステップ、又は、
前記基地局により、前記ユーザ機器によって通知される前記パケット到着間隔分布が取得されるステップ
を含み、
Ｍは１以上の整数である、ことを特徴とする請求項２に記載の方法。
【請求項４】
前記基地局により、ＤＲＸパラメータが決定される前記ステップが、
前記基地局により、前記パケット到着間隔分布に基づいて、Ｎセットの所定のＤＲＸパラメータのうちから前記ＤＲＸパラメータが決定されるステップを含み、
Ｎは１以上の整数である、ことを特徴とする請求項２又は３に記載の方法。
【請求項５】
前記基地局により、前記パケット到着間隔分布中のパケット到着間隔が所定の第１しきい値を超えるか否かが決定されるステップと、
前記パケット到着間隔分布中の前記パケット到着間隔が前記所定の第１しきい値を超える場合、前記基地局により、第１のＤＲＸパラメータ切替え時間が決定されるステップと、
前記パケット到着間隔分布中の前記パケット到着間隔が前記所定の第１しきい値を超えない場合、前記基地局により、第２のＤＲＸパラメータ切替え時間が決定されるステップと
をさらに有し、
前記第１のＤＲＸパラメータ切替え時間は、前記第２のＤＲＸパラメータ切替え時間とは異なり、
前記第１のＤＲＸパラメータ切替え時間及び前記第２のＤＲＸパラメータ切替え時間は、前記ＤＲＸパラメータを切り替えるように前記基地局を制御するために使用される、ことを特徴とする請求項２ないし４のいずれか１項に記載の方法。
【請求項６】
前記基地局により、前記ユーザ機器の端末タイプが第１端末タイプであるか否かが決定されるステップと、
前記ユーザ機器の前記端末タイプが前記第１端末タイプである場合、前記基地局により、第１のＤＲＸパラメータ切替え時間が決定されるステップと、
前記ユーザ機器の前記端末タイプが前記第１端末タイプでない場合、前記基地局により、第２のＤＲＸパラメータ切替え時間が決定されるステップと
をさらに有し、
前記第１のＤＲＸパラメータ切替え時間は、前記第２のＤＲＸパラメータ切替え時間とは異なり、
前記第１のＤＲＸパラメータ切替え時間及び前記第２のＤＲＸパラメータ切替え時間は、前記ＤＲＸパラメータを切り替えるように前記基地局を制御するために使用される、ことを特徴とする請求項２ないし４のいずれか１項に記載の方法。
【請求項７】
前記基地局により、前記パケット到着間隔分布中のパケット到着間隔が所定の第２しきい値を超えるか否かが決定されるステップと、
前記パケット到着間隔分布中の前記パケット到着間隔が前記所定の第２しきい値を超える場合、前記基地局により、第１非活動タイマーが決定されるステップと、
前記パケット到着間隔分布中の前記パケット到着間隔が前記所定の第２しきい値を超えない場合、前記基地局により、第２非活動タイマーが決定されるステップと
をさらに有し、
前記第１非活動タイマー及び前記第２非活動タイマーは、前記ユーザ機器を待機状態に切り替える時間を制御するために使用される、ことを特徴とする請求項２ないし６のいずれか１項に記載の方法。
【請求項８】
前記基地局により、前記ユーザ機器の端末タイプが第１端末タイプであるか否かが決定されるステップと、
前記ユーザ機器の前記端末タイプが前記第１端末タイプである場合、前記基地局により、第１非活動タイマーが決定されるステップと、
前記ユーザ機器の前記端末タイプが前記第１端末タイプでない場合、前記基地局により、第２非活動タイマーが決定されるステップと
をさらに有し、
前記第１非活動タイマー及び前記第２非活動タイマーは、前記ユーザ機器を待機状態に切り替える時間を制御するために使用される、ことを特徴とする請求項２ないし６のいずれか１項に記載の方法。
【請求項９】
パラメータを設定するための方法であって、
ユーザ機器のサービスタイプが疎なパケットサービスである場合に、前記ユーザ機器により、基地局から間欠受信（ＤＲＸ）パラメータが取得されるステップと、
前記ユーザ機器により、前記ＤＲＸパラメータに基づいて、ＤＲＸ制御が実行されるステップと
を有することを特徴とする方法。
【請求項１０】
前記ユーザ機器により、基地局からＤＲＸパラメータが取得される前記ステップの前に、
前記ユーザ機器により、前記サービスタイプが前記基地局に通知されるステップ、又は、
前記ユーザ機器により、前記サービスタイプのパケット到着間隔分布が前記基地局に通知されるステップ
をさらに有し、
前記サービスタイプは、前記ユーザ機器の前記サービスタイプが前記疎なパケットサービスであるか否かを決定するために前記基地局によって使用され、
前記パケット到着間隔分布は、前記ユーザ機器の前記サービスタイプが前記疎なパケットサービスであるか否かを決定するために前記基地局によって使用される、ことを特徴とする請求項９に記載の方法。
【請求項１１】
前記ユーザ機器により、前記サービスタイプのパケット到着間隔分布が前記基地局に通知される前記ステップの前に、
前記ユーザ機器により、所定のリストに基づいて、前記サービスタイプの前記パケット到着間隔分布が決定されるステップをさらに有し、
前記所定のリストには、前記ユーザ機器の前記サービスタイプに対応する前記パケット到着間隔分布が予め設定される、ことを特徴とする請求項１０に記載の方法。
【請求項１２】
基地局であって、
ユーザ機器のサービスタイプが疎なパケットサービスであるか否かを決定するように構成された第１判断ユニットと、
前記第１判断ユニットによって前記ユーザ機器の前記サービスタイプが前記疎なパケットサービスであると決定された場合、前記疎なパケットサービスの間欠受信（ＤＲＸ）パラメータを決定するように構成された第１決定ユニットと、
前記第１決定ユニットによって決定された前記ＤＲＸパラメータを前記ユーザ機器に送信するように構成された送信ユニットと
を具備し、
前記ＤＲＸパラメータは、ＤＲＸ制御を実行するために前記ユーザ機器によって使用される、ことを特徴とする基地局。
【請求項１３】
前記第１判断ユニットが、
前記ユーザ機器によって通知される前記サービスタイプを取得し、前記ユーザ機器によって通知される前記サービスタイプが前記疎なパケットサービスであるか否かを決定するか、又は、
前記ユーザ機器から受信した複数のデータパケットのパケット到着間隔分布を取得し、前記パケット到着間隔分布に基づいて、前記ユーザ機器の前記サービスタイプが前記疎なパケットサービスであるか否かを決定する
ようにさらに構成されることを特徴とする請求項１２に記載の基地局。
【請求項１４】
前記第１判断ユニットが、
所定期間内に前記ユーザ機器から受信した前記複数のデータパケットのＭ個のパケット到着間隔を取得し、前記Ｍ個のパケット到着間隔に基づいて、前記パケット到着間隔分布を生成するか、又は、
前記ユーザ機器によって通知される前記パケット到着間隔分布を取得する
ようにさらに構成され、
Ｍは１以上の整数である、ことを特徴とする請求項１３に記載の基地局。
【請求項１５】
前記第１決定ユニットが、前記パケット到着間隔分布に基づいて、Ｎセットの所定のＤＲＸパラメータのうちから前記ＤＲＸパラメータを決定するように構成され、
Ｎは１以上の整数である、ことを特徴とする請求項１３又は１４に記載の基地局。
【請求項１６】
前記パケット到着間隔分布中のパケット到着間隔が所定の第１しきい値を超えるか否かを決定するように構成された第２判断ユニットと、
前記第２判断ユニットによって前記パケット到着間隔分布中の前記パケット到着間隔が前記所定の第１しきい値を超えると決定された場合、第１のＤＲＸパラメータ切替え時間を決定し、前記第２判断ユニットによって前記パケット到着間隔分布中の前記パケット到着間隔が前記所定の第１しきい値を超えないと決定された場合、第２のＤＲＸパラメータ切替え時間を決定するように構成された第２決定ユニットと
をさらに具備し、
前記第１のＤＲＸパラメータ切替え時間は、前記第２のＤＲＸパラメータ切替え時間とは異なり、
前記第１のＤＲＸパラメータ切替え時間及び前記第２のＤＲＸパラメータ切替え時間は、前記ＤＲＸパラメータを切り替えるように前記基地局を制御するために使用される、ことを特徴とする請求項１３ないし１５のいずれか１項に記載の基地局。
【請求項１７】
前記ユーザ機器の端末タイプが第１端末タイプであるか否かを決定するように構成された第３判断ユニットと、
前記第３判断ユニットによって前記ユーザ機器の前記端末タイプが前記第１端末タイプであると決定された場合、第１のＤＲＸパラメータ切替え時間を決定し、前記第３判断ユニットによって前記ユーザ機器の前記端末タイプが前記第１端末タイプでないと決定された場合、第２のＤＲＸパラメータ切替え時間を決定するように構成された第３決定ユニットと
をさらに具備し、
前記第１のＤＲＸパラメータ切替え時間は、前記第２のＤＲＸパラメータ切替え時間とは異なり、
前記第１のＤＲＸパラメータ切替え時間及び前記第２のＤＲＸパラメータ切替え時間は、前記ＤＲＸパラメータを切り替えるように前記基地局を制御するために使用される、ことを特徴とする請求項１３ないし１５のいずれか１項に記載の基地局。
【請求項１８】
前記パケット到着間隔分布中のパケット到着間隔が所定の第２しきい値を超えるか否かを決定するように構成された第４判断ユニットと、
前記第４判断ユニットによって前記パケット到着間隔分布中の前記パケット到着間隔が前記所定の第２しきい値を超えると決定された場合、第１非活動タイマーを決定し、前記第４判断ユニットによって前記パケット到着間隔分布中の前記パケット到着間隔が前記所定の第２しきい値を超えないと決定された場合、第２非活動タイマーを決定するように構成された第４決定ユニットと
をさらに具備し、
前記第１非活動タイマー及び前記第２非活動タイマーは、前記ユーザ機器を待機状態に切り替える時間を制御するために使用される、ことを特徴とする請求項１３ないし１７のいずれか１項に記載の基地局。
【請求項１９】
前記ユーザ機器の端末タイプが第１端末タイプであるか否かを決定するように構成された第５判断ユニットと、
前記第５判断ユニットによって前記ユーザ機器の前記端末タイプが前記第１端末タイプであると決定された場合、第１非活動タイマーを決定し、前記第５判断ユニットによって前記ユーザ機器の前記端末タイプが前記第１端末タイプでないと決定された場合、第２非活動タイマーを決定するように構成された第５決定ユニットと
をさらに具備し、
前記第１非活動タイマー及び前記第２非活動タイマーは、前記ユーザ機器を待機状態に切り替える時間を制御するために使用される、ことを特徴とする請求項１３ないし１７のいずれか１項に記載の基地局。
【請求項２０】
ユーザ機器であって、
ユーザ機器自身のサービスタイプが疎なパケットサービスである場合に、基地局から間欠受信（ＤＲＸ）パラメータを取得するように構成された取得ユニットと、
前記取得ユニットによって取得された前記ＤＲＸパラメータに基づいて、ＤＲＸ制御を実行するように構成された制御ユニットと
を具備することを特徴とするユーザ機器。
【請求項２１】
前記基地局に前記サービスタイプを通知するように構成された第１通知ユニットか、又は、
前記基地局に前記サービスタイプのパケット到着間隔分布を通知するように構成された第２通知ユニット
をさらに具備し、
前記サービスタイプは、ユーザ機器自身の前記サービスタイプが前記疎なパケットサービスであるか否かを決定するために前記基地局によって使用される、
前記パケット到着間隔分布は、ユーザ機器自身の前記サービスタイプが前記疎なパケットサービスであるか否かを決定するために前記基地局によって使用される、ことを特徴とする請求項２０に記載のユーザ機器。
【請求項２２】
所定のリストに基づいて、前記サービスタイプの前記パケット到着間隔分布を決定するように構成された決定ユニットをさらに具備し、
前記所定のリストには、ユーザ機器自身の前記サービスタイプに対応する前記パケット到着間隔分布が予め設定される、ことを特徴とする請求項２１に記載のユーザ機器。
【手続補正２】
【補正対象書類名】図面
【補正対象項目名】図１０
【補正方法】変更
【補正の内容】
【図１０】
2015525989.tif 000017
【国際調査報告】
2015525989.tif 000018
2015525989.tif 000019
2015525989.tif 000020
2015525989.tif 000021
2015525989.tif 000022
2015525989.tif 000023